(57)【要約】【課題】  電力制御を行い、かつ放電灯の定格電流を超えないように電流制限を行う制御回路を得る。【解決手段】  周波数設定用抵抗６２と直列に接続されるランプ電流調整用半固定抵抗７１を備え、前記ランプ電流調整用半固定抵抗７１の中点端子と直流電源１の負極端子間に接続されるスイッチング素子７２を備える。  この回路において、前記スイッチング素子７２オフ時に、最高管電圧の放電灯３４のランプ電流をランプ電流調整用半固定抵抗５６で調整し、その後にスイッチング素子７２オン時に、最低管電圧の放電灯３４のランプ電流をランプ電流調整用半固定抵抗７２で調整する。【選択図】    図１
2005310730.tif 000002
【特許請求の範囲】
【請求項１】
放電灯を備え、前記放電灯に高周波電力を供給するインバータを備え、前記インバータを制御する制御回路を備え、前記制御回路は管電圧の異なる前記放電灯が接続された場合であっても一定のランプ電力を供給する定電力制御手段を具備し、前記制御回路は前記放電灯のランプ電流が設定値を越えることを阻止する過電流制限手段を具備することを特徴とする放電灯点灯装置。
【発明の詳細な説明】
【技術分野】
【０００１】  本発明は、数種類の放電灯を点灯することができる放電灯点灯装置における電力制御回路に関する。
【背景技術】
【０００２】  従来の技術について図２を用いて説明する。図２の回路は、周波数可変形の高周波電圧を出力するインバータを備え、前記インバータは直流電源１を備え、順直列一対のスイッチング素子４１・４２を備え、前記スイッチング素子４１・４２をドライブするドライブ用ＩＣ２０を備え、前記スイッチング素子４１・４２の接続交点に接続されるコンデンサ３１、バラスト用インダクタ３２、共振用コンデンサ３３からなる直列共振回路を備え、前記共振用コンデンサ３３に並列接続される放電灯３４を備える。【０００３】  前記ドライブ用ＩＣ２０は発振器２１が内蔵され、該発振器の出力周波数は、周波数設定コンデンサ接続端子ＣＦに接続される周波数設定コンデンサ６１と周波数設定抵抗接続端子ＲＩＮＧに接続される周波数設定抵抗６２で決定される。さらに前記ドライブ用ＩＣ２０はオペアンプ２２が内蔵されている。該オペアンプ２２の反転入力端子ＯＰＩＮ−と出力端子ＯＰＯＵＴ間に接続されるコンデンサ５１を備え、前記周波数設定抵抗接続端子ＲＩＮＧと前記出力端子ＯＰＯＵＴ間に接続される直列接続されたダイオード５２と抵抗５３を備え、前記反転入力端子ＯＰＩＮ−と前記スイッチング素子４２のソース端子間に接続される抵抗５４を備える、前記スイッチング素子４２のソース端子と直流電源１の負極端子間に接続される電流検出用抵抗５５を備える。
また、前記ドライブ用ＩＣ２０は予熱時間設定端子ＣＰＲＥと予熱周波数設定端子ＲＰＲＥを備え、前記予熱時間設定端子ＣＰＲＥに接続される予熱時間設定コンデンサ６３を備え、前記予熱周波数設定端子ＲＰＲＥに接続されるランプ電流調整用半固定抵抗５６を備える。前記ランプ電流調整用半固定抵抗５６の中点端子は非反転入力端子ＯＰＩＮ＋に接続される。【０００４】  この回路動作について説明する。直流電源１に流れる入力電流を電流検出用抵抗５５で検出し、電流検出用抵抗５５電圧が抵抗５４を介してオペアンプ２２の反転入力端子ＯＰＩＮ−に印加される。該反転入力端子ＯＰＩＮ−電圧がランプ電流調整用半固定抵抗５６で決定される非反転入力端子ＯＰＩＮ＋電圧より低い場合は、出力端子ＯＰＯＵＴには周波数設定抵抗端子ＲＩＮＧ電圧より高い電圧が発生するためダイオード５２、抵抗５３は遮断され、放電灯３４は周波数設定コンデンサ６１と周波数設定抵抗６２で決定される周波数で点灯する。  該反転入力端子ＯＰＩＮ−電圧がランプ電流調整用半固定抵抗５６で決定される非反転入力端子ＯＰＩＮ＋電圧より高い場合は、出力端子ＯＰＯＵＴに電圧は発生しない。この場合、周波数設定抵抗接続端子ＲＩＮＧには周波数設定抵抗６２と並列に抵抗５３が接続される。この時、放電灯３４は非反転入力端子ＯＰＩＮ＋電圧と反転入力端子ＯＰＩＮ−電圧が等しくなるようなランプ電流が流れるように制御され、負荷に関わらず負荷電力が一定となるように制御される。
この回路において、例えば高管電圧のランプで定格電流が流れるようにランプ電流調整用抵抗５６によって、ランプ電流を調整しておくと、低管電圧のランプを点灯した場合、ランプ電力を一定にしようとするため大ランプ電流が流れるようになり、場合によってはランプの定格電流を超えてしまい、ランプが短寿命になることが懸念される。
【発明の開示】
【発明が解決しようとする課題】
【０００５】  本発明は、管電圧の異なる数種類の放電灯を点灯した場合においても、放電灯の定格電流を超えないように制御することにある。
【課題を解決するための手段】
【０００６】  本発明は周波数設定用抵抗６２と直列に接続されるランプ電流調整用半固定抵抗７１を備え、前記ランプ電流調整用半固定抵抗７１の中点端子と直流電源１の負極端子間に接続されるスイッチング素子７２を備える。
この回路において、前記スイッチング素子７２オフ時に、最高管電圧の放電灯３４のランプ電流をランプ電流調整用半固定抵抗５６で調整し、スイッチング素子７２オン時に、最低管電圧の放電灯３４のランプ電流をランプ電流調整用半固定抵抗７２で調整する。
【発明の効果】
【０００７】  本発明によれば管電圧の異なる数種類の放電灯を点灯させても放電灯の定格電流を超えないように電力制御を行うことができる。これにより、放電灯の定格電流を超えたランプ電流で点灯してランプが短寿命になることを防止できる。
【発明を実施するための最良の形態】
【０００８】  図１を用いて本発明の実施形態について説明する。従来の技術と同一部分については説明を省略する。図１は従来の回路図２に対して周波数設定用抵抗６２と直列に接続されるランプ電流調整用半固定抵抗７１を備え、前記ランプ電流調整用半固定抵抗７１の中点端子と直流電源１の負極端子間に接続されるスイッチング素子７２を備える回路である。
この回路において、前記スイッチング素子７２オフ時に、最高管電圧の放電灯３４のランプ電流をランプ電流調整用半固定抵抗５６で調整し、その後スイッチング素子７２オン時に、最低管電圧の放電灯３４のランプ電流をランプ電流調整用半固定抵抗７２で調整する。スイッチング素子７２は、通常点灯時はオン状態である。
最高管電圧の放電灯３４のランプ電流を調整後、スイッチング素子７２がオンすると、周波数設定抵抗接続端子ＲＩＮＧに接続される抵抗値は小さくなりランプ電流が減少する方向になるが、電力制御回路５０によって、最初に設定したランプ電流値で安定する。【０００９】  最低管電圧の放電灯３４を点灯させた場合は電力制御が動作しない状態、すなわちダイオード５２、抵抗５３が遮断される状態となるようにランプ電流調整用半固定抵抗７１を設定することにより、上限ランプ電流が設定される。この時のランプ電流は放電灯３４の定格電流を超えない電流に設定する。
最高管電圧の放電等３４と最低管電圧の放電灯３４の間の管電圧となる放電灯３４はそれぞれ設定したランプ電流の間のランプ電流となる。
このように最高管電圧と最低管電圧の放電灯３４電流を調整することにより、放電灯３４の定格電流を超えないようにすることができる。
【図面の簡単な説明】
【００１０】
【図１】本発明に係る放電灯点灯装置の回路図である。
【図２】従来の放電灯点灯装置の回路図である。
【符号の説明】
１  直流電源
２０  ドライブ用ＩＣ
３１  コンデンサ
３２  バラスト用インダクタ
３３  共振用コンデンサ
３４  放電灯
４１・４２  スイッチング素子
５０  電力制御回路
５６・７１  ランプ電流調整用半固定抵抗
７２  制御用スイッチング素子
【図１】
2005310730.tif 000003
【図２】
2005310730.tif 000004